(57)【特許請求の範囲】
【請求項１】
ロール状のロール媒体を送り方向下流側へ繰り出し可能な繰り出し手段と、
繰り出されたロール媒体に対して記録する記録部を有する記録装置本体と、
所定の位置において、記録されたロール媒体をロール状に巻き取る巻き取り装置と、
前記記録部の下流側で前記巻き取り装置の上流側に設けられ、前記記録されたロール媒体に着弾したインクを乾燥するアフターヒーターと、
を備え、
前記アフターヒーターは、前記巻き取り装置が前記所定の位置にあるとき、当該巻き取り装置の上方を覆うように前記記録装置本体に設けられるとともに、前記記録されたロール媒体が当該アフターヒーターに接触しながら搬送されることにより、前記インクを乾燥するように構成されており、
前記巻き取り装置が前記記録装置本体に対して前記所定の位置から移動可能であり、記録実行時において、前記巻き取り装置が前記所定の位置に位置していないとエラーとする構成であることを特徴とする記録装置。
【請求項２】
請求項１に記載の記録装置において、前記巻き取り装置は、前記記録装置本体と別体であり、
前記記録装置は、前記巻き取り装置を前記記録装置本体に対して前記所定の位置に保持する保持手段を備えていることを特徴とする記録装置。
【請求項３】
請求項２に記載の記録装置において、前記巻き取り装置は、記録装置とは別の記録後の処理を行う装置と共用であることを特徴とする記録装置。
【請求項４】
請求項２または３に記載の記録装置において、前記巻き取り装置は、車輪を有していることを特徴とする記録装置。
【請求項５】
請求項１から４のいずれか１項に記載の記録装置において、
前記所定の位置は、前記ヒーター部の下方であることを特徴とする記録装置。
【請求項６】
請求項１から５のいずれか１項に記載の記録装置において、
前記巻き取り装置は、前記記録装置本体との相対的な位置及び姿勢を調整する調整手段を備え、
前記ロール媒体が前記巻き取り装置によって巻き取られる際の蛇行する方向を検出することによる検出結果に基づいて、前記巻き取り装置の前記位置及び姿勢を前記調整手段による調整の制御が実行されるように構成されている、ことを特徴とする記録装置。
【発明の詳細な説明】
【技術分野】
【０００１】
本発明は、記録された媒体をロール状に巻き取る巻き取り装置を備えた記録装置に関する。  
本願において、記録装置には、インクジェットプリンター、ワイヤドットプリンター、レーザープリンター、ラインプリンター、複写機、ファクシミリ等の種類が含まれるものとする。
【背景技術】
【０００２】
従来では、特許文献１に示す如く、記録装置は、巻き取り手段を備えていた。従って、記録されたロール紙をロール状に巻き取ることができた。
【先行技術文献】
【特許文献】
【０００３】
【特許文献１】特開２０１０−１１１４８２号公報
【発明の概要】
【発明が解決しようとする課題】
【０００４】
しかしながら、前記巻き取り手段は、記録装置本体に対して固定式であった。そのため、前記巻き取り手段が設けられている場所によっては、ユーザーが操作しにくい虞がある。例えば、記録後にロール紙を加熱するヒーターの下方に前記巻き取り手段が設けられている場合、前記巻き取り手段の上方に前記ヒーターが邪魔で前記巻き取り手段の操作がしにくい。
【０００５】
本発明は、このような状況に鑑み成されたものであり、その課題は、巻き取り装置を備えた記録装置における巻き取り装置の操作を考慮した記録装置を提供することである。
【課題を解決するための手段】
【０００６】
上記課題を達成するため、本発明の記録装置の態様の一つは、ロール状のロール媒体を送り方向下流側へ繰り出し可能な繰り出し手段と、繰り出されたロール媒体に対して記録する記録部を有する記録装置本体と、所定の位置において、記録されたロール媒体をロール状に巻き取る巻き取り装置と、前記記録部の下流側で前記巻き取り装置の上流側に設けられ、前記記録されたロール媒体に着弾したインクを乾燥するアフターヒーターと、を備え、前記アフターヒーターは、前記記録されたロール媒体が当該アフターヒーターに接触しながら搬送されることにより、前記インクを乾燥するように構成されており、前記巻き取り装置が前記記録装置本体に対して前記所定の位置から移動可能な構成であることを特徴とする。
また、本発明の第１の態様の記録装置は、ロール状のロール媒体を送り方向下流側へ繰り出し可能な繰り出し手段と、繰り出されたロール媒体に対して記録する記録部を有する記録装置本体と、所定の位置において、記録されたロール媒体をロール状に巻き取る巻き取り装置と、を備え、該巻き取り装置が前記記録装置本体に対して移動可能な構成であることを特徴とする。
【０００７】
本態様によれば、ユーザーは、前記巻き取り装置を前記記録装置本体に対する前記所定の位置から引き出すことができる。これにより、ユーザーは、前記巻き取り装置に対して容易にアクセスすることができる。例えば、前記記録装置本体側にヒーター等が設けられており、該ヒーター等の真下に前記巻き取り装置が設けられている場合、前記巻き取り装置を前記ヒーター等より手前に引き出すことができる。従って、ユーザーは、前記ヒーター等の高さより低く屈むことをしないで、前記巻き取り装置を操作することができる。例えば、巻き取ったロール媒体を前記巻き取り装置から取り外す等の操作を容易に行うことができる。
【０００８】
本発明の第２の態様は、第１の態様において、前記巻き取り装置は、前記記録装置本体と別体であり、前記記録装置は、前記巻き取り装置を前記記録装置本体に対して前記所定の位置に保持する保持手段を備えていることを特徴とする。  
本態様によれば、第１の態様と同様の作用効果に加え、別体であるので、必要なときに前記巻き取り装置を前記記録装置本体に対して自由に移動させることができる。  
また、前記巻き取り装置を移動させた後は、前記所定の位置に前記巻き取り装置を戻す。そして、前記保持手段によって前記巻き取り装置を前記所定の位置に精度よく位置決めすることができる。その結果、前記巻き取り装置は、記録されたロール媒体を精度よく巻き取ることができる。
【０００９】
本発明の第３の態様は、第２の態様において、前記巻き取り装置は、記録装置とは別の記録後の処理を行う装置と共用であることを特徴とする。  
本態様によれば、第２の態様と同様の作用効果に加え、例えば、ラミネート加工をする場合、前記巻き取り装置を、ラミネート装置の繰り出し装置と共用とすることができる。また、裁断加工をする場合、前記巻き取り装置を、裁断装置の繰り出し装置と共用とすることができる。その結果、ロール媒体の取り外し、取り付け作業を必要としない。特にロール媒体の重要が重い場合に有効である。
【００１０】
本発明の第４の態様は、第２または第３の態様において、前記巻き取り装置は、車輪を有していることを特徴とする。  
本態様によれば、第２または第３の態様と同様の作用効果に加え、巻き取ったロール媒体を保持した状態で前記巻き取り装置を容易に移動させることができる。特にロール媒体の重量が重い場合に有効である。
【００１１】
本発明の第５の態様は、第１から第４のいずれか一の態様において、ロール媒体に対して加熱するヒーター部を備えており、前記所定の位置は、前記ヒーター部の下方であることを特徴とする。  
本態様によれば、前記巻き取り装置が前記所定の位置に位置する状態では、前記ヒーター部が上方に位置するため、該ヒーター部が邪魔でユーザーが前記巻き取り装置を操作しにくい。係る場合に前記巻き取り装置が前記記録装置本体に対して移動可能な構成は、特に有効である。
【００１２】
本発明の第６の態様は、第１から第５のいずれか一の態様において、前記巻き取り装置は、前記記録装置本体との相対的な位置及び姿勢を調整する調整手段を備え、前記巻き取り装置の前記位置及び姿勢に関する情報の検出結果に基づいて前記調整手段による調整の制御が実行されるように構成されている、ことを特徴とするものである。  
本態様によれば、巻き取り装置がロール媒体を巻き取っているときに例えばロール媒体が幅方向に蛇行するような傾向があっても、それを修正して巻き取り装置の位置および姿勢を微調整することにより、きれいに両側を揃えて巻き取ることができる。
【図面の簡単な説明】
【００１３】
【図１】本実施例のプリンター全体の概略を示す側面図。
【図２】本実施例の巻き取り装置を示す斜視図。
【図３】本実施例のプリンターの制御を示す図。
【図４】本実施例のプリンターの後工程を示す図（その１）。
【図５】本実施例のプリンターの後工程を示す図（その２）。
【発明を実施するための形態】
【００１４】
以下、本発明の実施の形態を図面に基づいて説明する。  
図１に示すのは、本実施例の記録装置としての大型のインクジェットプリンター１（以下、単にプリンターという。）の全体構成の概略を示す側断面図である。  
図１に示す如く、プリンター１は、繰り出し手段２と、記録部１３と、巻き取り装置２４と、を備えている。このうち、繰り出し手段２は、ロール状に巻かれたロール媒体Ｒを解いて送り方向Ａへ送り出すことができるように構成されている。具体的には、第１ホルダー部８と、ローラー対１２と、を有している。
【００１５】
このうち、第１ホルダー部８は、ロール媒体Ｒの両端部を回動可能に保持することができるように設けられている。第１ホルダー部８は、ロール媒体Ｒのロール芯３０の芯口３１に嵌る第１軸部９と、ロール媒体Ｒの端部と接触可能なフランジ部１０と、を有している。第１軸部９は、回動自在な構成でも、図示しないモーターの動力によって駆動する構成でもよい。回動自在な構成の場合は、送り方向下流側の駆動するローラー対１２によってロール媒体Ｒが引っ張られて解かれるからである。  
尚、第１ホルダー部８は、向い合わせで一対配設されている。そして、このうち少なくとも一方の第１ホルダー部８が、ロール媒体Ｒの幅寸法の違いに対応して幅方向Ｘにスライドし取付け位置を調整できるように構成されている。
【００１６】
また、第１ホルダー部８の下方には、仮置き部としての仮置き台７と、持ち上げ手段３とが設けられている。仮置き台７は、ロール媒体Ｒを第１ホルダー部８に取り付ける前に仮に置くための台である。一例として、幅方向Ｘに延設された二本の第１ガイド軸６によって構成されている。また、持ち上げ手段３は、仮置き台７に置かれた重たいロール媒体Ｒを容易に上方に持ち上げ、ロール媒体Ｒの側端を容易に第１ホルダー部８に取り付けることができるように構成されている。尚、Ｚ軸方向が上下方向である。
【００１７】
具体的に、持ち上げ手段３は、二本の第１ガイド軸６に対して幅方向Ｘに摺動可能な基体部３２と、操作レバー４と、昇降部５と、を備えている。そして、操作レバー４を一方向へ回動させることにより、昇降部５は上昇し、ロール媒体Ｒを持ち上げることができる。一方、操作レバー４を反対方向へ回動させることにより、昇降部５は下降し、ロール媒体Ｒを下ろすことができる。
【００１８】
また、記録部１３は、プリンター本体１１を有している。プリンター本体１１には、幅方向Ｘに延設されたキャリッジガイド軸１５と、キャリッジ１４と、記録ヘッド１６と、媒体支持部１７とが設けられている。キャリッジ１４は、キャリッジガイド軸１５にガイドされながら幅方向Ｘへ移動可能に設けられている。また、記録ヘッド１６は、キャリッジ１４における媒体支持部１７と対向する位置に設けられ、インクをロール媒体Ｒに対して吐出して記録することができるように構成されている。またさらに、媒体支持部１７は、ロール媒体Ｒを支持し、ロール媒体Ｒと記録ヘッド１６との間の距離を所定の距離にすることができるように設けられている。
【００１９】
尚、ローラー対１２は、プリンター本体１１の内部に設けたが、外部でもよい。ロール媒体Ｒを送り方向Ａへ送ることができればよいからである。  
また、プリンター本体１１より送り方向上流側にはプレヒーター１８が設けられている。ロール媒体Ｒに対して記録を実行する前の段階で予めロール媒体Ｒを温めることにより、記録を実行した際、ロール媒体Ｒに着弾したインクが乾燥しやすくするためである。  
またさらに、プリンター本体１１より送り方向下流側にはアフターヒーター１９が設けられている。ロール媒体Ｒに着弾したインクを、記録を実行した後から巻き取り装置２４によって巻かれる前までの間に、確実に乾燥させるためである。
【００２０】
またさらに、巻き取り装置２４は、モーター（図示せず）の動力によってロール媒体Ｒを巻き取り、二本の第２ガイド軸２６に取り付けられた第２ホルダー部２８に巻き取ったロール媒体Ｒを保持することができるように構成されている。  
尚、巻き取る際にロール媒体Ｒに張力を与えるテンションバー２１が設けられている。これにより、撓みを除去してきれいにロール媒体Ｒをロール状に巻き取ることができる。
【００２１】
また、巻き取り装置２４は、プリンター本体１１に対して移動可能に構成されている。具体的には、巻き取り時には、アフターヒーター１９の下方の所定の位置Ｂに保持手段２０によって保持されている。保持手段２０は、一例として、凹部と凸部との係合によって保持する構成とすることができる。また、電磁石を用いてもよい。電磁石をＯＮにすることにより、磁力を生じさせて磁力によって巻き取り装置２４を所定の位置Ｂに保持することができる。一方、電磁石をＯＦＦにすることにより、磁力を消滅させて保持状態を解除することができる。
【００２２】
そして、巻き取り後や、巻き取りを中断したとき、保持手段２０を解除することにより、所定の位置Ｂから移動することができるように構成されている。例えば、アフターヒーター１９の下方から引き出すことにより、ユーザーが巻き取り装置２４にアクセスしやすくなる。そして、ロール媒体Ｒを巻き取り装置２４から取り外す等の操作をすることができる。アフターヒーター１９の下方は、アフターヒーター１９がまだ熱い場合があるので、ユーザーが作業する場所としては好ましくない。そこで、アフターヒーター１９の下方から引き出すことにより、安全に作業を行うことができる。
【００２３】
本実施例では、巻き取り装置２４は、プリンター本体１１と別体に構成されている。さらに、巻き取り装置２４の基体フレーム２７の下方に車輪２５を備えており、自由に移動可能に設けられている。本実施例では、自由に移動可能に設けたが、これに限らない。ユーザーが巻き取り装置２４にアクセスしやすくなるという作用効果を得るためには、技術的思想としては、巻き取り装置２４がプリンター本体１１に対して移動可能であればよい。従って、巻き取り装置２４がプリンター本体１１に対してスライド可能に一体に構成されていてもよい。  
尚、プリンター１は、下端部に移動用のキャスター２３を有する側面視逆Ｔ字形の支持フレーム２２を対向するように左右両端部に備えている。そして、支持フレーム２２の上部にプリンター本体１１が設けられている。
【００２４】
続いて、本実施例の巻き取り装置２４について詳しく説明する。  
図２に示すのは、本実施例の巻き取り装置２４を示す斜視図である。  
図２に示す如く、巻き取り装置２４は、前述したように、第２ホルダー部２８と、第２ガイド軸２６と、基体フレーム２７と、車輪２５と、を備えている。このうち、第２ホルダー部２８は、ロール媒体Ｒのロール芯３０の芯口３１に嵌る第２軸部２９を備えている。
【００２５】
また、第２ホルダー部２８は、第２ガイド軸２６に対して少なくとも一方が移動可能に構成されている。第１ホルダー部８と同様、ロール媒体Ｒの幅寸法の違いに対応するためである。  
尚、ロール媒体Ｒを巻き取る動力として第２軸部２９を駆動させるモーターの図示は省略する。
【００２６】
続いて、巻き取り装置２４を移動可能にしたことによって生じる制御について説明する。  
図３に示すのは、本実施例のプリンター１の制御を示す図である。  
図３に示す如く、ステップＳ１では、プリンター１において記録実行指示の有無を図示しない制御部が確認する。記録実行指示があると判定した場合、ステップＳ２へ進む。一方、記録実行指示がないと判定した場合、ステップＳ１を繰り返す。
【００２７】
ステップＳ２では、巻き取り装置２４が所定の位置Ｂに位置しているか否かを制御部が判定する。所定の位置Ｂに位置していなければ、記録したロール媒体Ｒを巻き取ることができないからである。例えば、所定の位置近傍にセンサーを設けることにより、判定することができる。また、前述した保持手段２０が巻き取り装置２４を保持していれば、所定の位置Ｂに位置していると判定することができる。
【００２８】
例えば、前述した電磁石がＯＮである場合、所定の位置Ｂに位置していると判定するように構成してもよい。そして、所定の位置Ｂに位置していると判定した場合、記録を実行するべくステップＳ３へ進む。一方、所定の位置Ｂに位置していないと判定した場合、記録しても巻き取ることができないのでエラーとする。係る場合、ユーザーに対して、巻き取り装置２４を所定の位置Ｂへセットするように促す旨の警告を表示部（図示せず）に表示する。
【００２９】
ステップＳ３では、記録を実行する。具体的には、繰り出し手段２から繰り出されたロール媒体Ｒに対して記録部１３の記録ヘッド１６からインクを吐出して記録を実行する。そして、記録されたロール媒体Ｒを巻き取り装置２４によって巻き取る。ステップＳ４へ進む。  
ステップＳ４では、巻き取り装置２４によってロール媒体Ｒを巻き取っているとき、プリンター本体１１に対する巻き取り装置２４の位置および姿勢を微調整する。ロール媒体Ｒを巻き取っているとき、ロール媒体Ｒが幅方向Ｘに蛇行する傾向がある。これに対して、ロール媒体Ｒの両側と対向する位置に配設した一対の光学センサー（図示せず）を用いて蛇行している方向を検出することができる。
【００３０】
この検出結果に応じて、プリンター本体１１に対する巻き取り装置２４の位置および姿勢を微調整することにより、きれいに両側を揃えて巻き取ることができる。ここで、前記微調整する手段は、例えば、プリンター本体１１と巻き取り装置２４との相対的な位置および姿勢の関係を変えるカムやアクチュエーターを用いることにより構成することができる。
【００３１】
また、前記微調整する制御は、制御部が前記カムやアクチュエーターを制御することにより行うことができる。そして、シーケンスを終了する。ロール媒体Ｒを巻き取った後は、保持手段２０を解除して、巻き取り装置２４をアフターヒーター１９の下方（所定の位置Ｂ）から引き出して移動させる。そのままの状態で、出荷待ちの場所へ移動させてもよい。また、記録後の処理を行う場合は、記録後の処理を行う装置がある場所まで移動させる。
【００３２】
続いて、プリンター１の巻き取り装置２４がロール媒体Ｒを巻き取った後の使い方について説明する。  
図４に示すのは、本実施例のプリンター１の後工程その１を示す図である。  
図４に示す如く、例えば、記録後にラミネート加工処理を行うものとする。プリンター１において、巻き取り装置２４がロール媒体Ｒを巻き取った後、保持手段２０を解除して、巻き取り装置２４をプリンター１の所定の位置Ｂからラミネート加工装置４０がある場所へ移動させる。
【００３３】
ここで、ラミネート加工装置４０は、一例として、媒体繰り出し装置４１と、第１フィルム繰り出し手段４２と、第２フィルム繰り出し手段４３と、加圧ローラー対４４と、巻き取り手段４５と、を備えている。このうち、媒体繰り出し装置４１は、記録されたロール媒体Ｒを加圧ローラー対４４へ繰り出すことができるように設けられている。また、第１フィルム繰り出し手段４２は、ロール媒体Ｒの一の面をラミネートする第１フィルムを繰り出すことができるように設けられている。
【００３４】
同様に、第２フィルム繰り出し手段４３は、ロール媒体Ｒの前記一の面と反対側の面をラミネートする第２フィルムを繰り出すことができるように設けられている。またさらに、加圧ローラー対４４は、繰り出されたロール媒体Ｒに対して第１フィルムおよび第２フィルムを圧着させることができるように構成されている。つまり、ラミネート加工である。また、巻き取り手段４５は、モーターの動力によって、ラミネート加工された媒体を巻き取ることができるように設けられている。
【００３５】
ここで、プリンター１の巻き取り装置２４は、ラミネート加工装置４０の媒体繰り出し装置４１を兼ねることができるように構成されている。従って、プリンター１の巻き取り装置２４を、ラミネート加工装置４０の媒体繰り出し装置４１として所定の位置Ｃまで移動させる。そして、モーターを巻き取り時と逆方向へ回転させることにより媒体を繰り出す、または、モーターの動力伝達を切断し回動自在にして媒体を繰り出すようにする。
【００３６】
その結果、プリンター１で巻き取ったロール媒体Ｒを、そのままラミネート加工装置４０へ搬送することができる。この際、巻き取り装置２４からロール媒体Ｒを取り外す必要がない。さらに、ラミネート加工装置４０の媒体繰り出し装置４１に付け替える必要もない。これにより、ユーザーの負担が著しく軽減される。特にロール媒体Ｒの重量が重い場合に有効である。
【００３７】
図５に示すのは、本実施例のプリンター１の後工程その２を示す図である。  
図５に示す如く、例えば、記録後に裁断加工処理を行うものとする。プリンター１において、巻き取り装置２４がロール媒体Ｒを巻き取った後、前述した後工程その１と同様、保持手段２０を解除して、巻き取り装置２４をプリンター１の所定の位置Ｂから裁断加工装置５０がある場所へ移動させる。
【００３８】
ここで、裁断加工装置５０は、一例として、媒体繰り出し装置５１と、送りローラー対５２と、カッター５３と、カッター台５４と、載置トレイ５５と、を備えている。このうち、媒体繰り出し装置５１は、記録されたロール媒体Ｒを送りローラー対５２へ繰り出すことができるように設けられている。また、送りローラー対５２は、図示しないモーターの動力によって、送り方向下流側へ媒体を所定量送り、停止しを繰り返す間欠送りを実行することができるように構成されている。
【００３９】
またさらに、カッター５３は、送りローラー対５２による送りが停止したとき、媒体の幅方向Ｘへ移動してカッター台５４に支持されている媒体を裁断することができるように構成されている。また、載置トレイ５５は、裁断された媒体を順番に載置することができるように設けられている。  
ここで、プリンター１の巻き取り装置２４は、裁断加工装置５０の媒体繰り出し装置５１を兼ねることができるように構成されている。
【００４０】
従って、プリンター１の巻き取り装置２４を、裁断加工装置５０の媒体繰り出し装置５１として所定の位置Ｄまで移動させる。そして、前述した後工程その１と同様、モーターを巻き取り時と逆方向へ回転させることにより媒体を繰り出す、または、モーターの動力伝達を切断し回動自在にして媒体を繰り出すようにする。  
その結果、プリンター１で巻き取ったロール媒体Ｒを、そのまま裁断加工装置５０へ搬送することができる。この際、巻き取り装置２４からロール媒体Ｒを取り外す必要がない。さらに、裁断加工装置５０の媒体繰り出し装置５１に付け替える必要もない。これにより、ユーザーの負担が著しく軽減される。特にロール媒体Ｒの重量が重い場合に有効である。
【００４１】
本実施例の記録装置としてのプリンター１は、ロール状のロール媒体Ｒを送り方向下流側へ繰り出し可能な繰り出し手段２と、繰り出されたロール媒体Ｒに対して記録する記録部１３を有する記録装置本体としてのプリンター本体１１と、所定の位置Ｂにおいて、記録されたロール媒体Ｒをロール状に巻き取る巻き取り装置２４と、を備え、巻き取り装置２４がプリンター本体１１に対して移動可能な構成であることを特徴とする。
【００４２】
また、本実施例において、巻き取り装置２４は、プリンター本体１１と別体であり、プリンター１は、巻き取り装置２４をプリンター本体１１に対して所定の位置Ｂに保持する保持手段２０を備えていることを特徴とする。  
またさらに、本実施例において、巻き取り装置２４は、プリンター１とは別の記録後の処理を行う装置としてのラミネート加工装置４０、裁断加工装置５０等と共用であることを特徴とする。具体的には、プリンター１の巻き取り装置２４は、ラミネート加工装置４０の媒体繰り出し装置４１、裁断加工装置５０の媒体繰り出し装置５１を兼ねる構成である。
【００４３】
また、本実施例において、巻き取り装置２４は、車輪２５を有していることを特徴とする。  
またさらに、本実施例において、ロール媒体Ｒに対して加熱するヒーター部としてのアフターヒーター１９を備えており、所定の位置Ｂは、アフターヒーター１９の下方であることを特徴とする。
【００４４】
尚、本発明は上記実施例に限定されることなく、特許請求の範囲に記載した発明の範囲内で、種々の変形が可能であり、それらも本発明の範囲内に含まれるものであることは言うまでもない。
【符号の説明】
【００４５】
１  プリンター、２  繰り出し手段、３  持ち上げ手段、４  操作レバー、５  昇降部、
６  第１ガイド軸、７  仮置き台、８  第１ホルダー部、９  第１軸部、
１０  フランジ部、１１  プリンター本体、１２  ローラー対、１３  記録部、
１４  キャリッジ、１５  キャリッジガイド軸、１６  記録ヘッド、１７  媒体支持部、
１８  プレヒーター、１９  アフターヒーター、２０  保持手段、
２１  テンションバー、２２  支持フレーム、２３  キャスター、２４  巻き取り装置、
２５  車輪、２６  第２ガイド軸、２７  基体フレーム、２８  第２ホルダー部、
２９  第２軸部、３０  ロール芯、３１  芯口、３２  基体部、
４０  ラミネート加工装置、４１  （ラミネート加工装置の）媒体繰り出し装置、
４２  第１フィルム繰り出し手段、４３  第２フィルム繰り出し手段、
４４  加圧ローラー対、４５  （ラミネート加工装置の）巻き取り手段、
５０  裁断加工装置、５１  （裁断加工装置の）媒体繰り出し装置、
５２  送りローラー対、５３  カッター、５４  カッター台、５５  載置トレイ、
Ａ  送り方向、Ｂ  （プリンターにおける巻き取り装置の）所定の位置、
Ｃ  （ラミネート加工装置における媒体繰り出し装置の）所定の位置、
Ｄ  （裁断加工装置における媒体繰り出し装置の）所定の位置、Ｒ  ロール媒体、
Ｘ  幅方向、Ｚ  上下方向（鉛直方向）
【図１】
0005776875.tif 000002
【図２】
0005776875.tif 000003
【図３】
0005776875.tif 000004
【図４】
0005776875.tif 000005
【図５】
0005776875.tif 000006